(57)【要約】【課題】  本人は視覚的に一覧で自分の物を容易に識別することができるが、他人には識別が困難な識別標識を生成できる識別標識生成方法及び識別標識生成プログラムを提供する。【解決手段】  管理コンピュータ２１は、記号データ記憶部２２に記録された記号により構成される識別子の指定と、所定の記号表示範囲における識別子表示位置の指定とをユーザ端末３１から受信し、その記号表示範囲における識別子表示位置に識別子を配置する。そして、コンピュータは、その識別子を構成する記号と同一のカテゴリに属する記号を記号データ記憶部２２から抽出し、その記号表示範囲における指定された表示位置以外の部分に、抽出した記号を配置する。そして、その識別子を含む識別標識を印刷するためのデータを出力する。そして、出力装置３５は、このデータに基づいて、識別標識を印刷する。【選択図】      図１
2005142943.tif 000002
【特許請求の範囲】
【請求項１】
同一のカテゴリに属する記号を関連付けて記録した記号データ記憶手段と、コンピュータとを用いて、識別子を含む識別標識を表示するためのデータを生成する識別標識生成方法であって、
前記コンピュータが、
前記記号により構成される識別子の指定と、所定の記号表示範囲における識別子表示位置の指定とに基づいて、前記記号表示範囲における前記識別子表示位置に前記識別子を配置する第１の段階と、
前記識別子を構成する記号と同一のカテゴリに属する記号を前記記号データ記憶手段から抽出する第２の段階と、
前記記号表示範囲における前記識別子表示位置以外の部分に前記抽出した記号を配置した識別標識を生成する第３の段階と、
前記識別標識を出力する第４の段階と
を備えたことを特徴とする識別標識生成方法。
【請求項２】
前記第１の段階は、
指定可能な記号をユーザに提示して、識別子の指定を促す段階を備えたことを特徴とする請求項１に記載の識別標識生成方法。
【請求項３】
前記第１の段階は、
指定された識別子を構成する記号の数を計数する段階と、
前記記号の数に応じて、前記識別子を配置する位置を特定する段階と
を備えたことを特徴とする請求項１又は２に記載の識別標識生成方法。
【請求項４】
前記第３の段階は、
前記第２の段階において抽出した記号を提示して、前記記号表示範囲における前記識別子表示位置以外の部分への配置に用いる記号の選択を促す段階と、
前記選択された記号を前記識別子表示位置以外の位置に配置する段階と
を備えたことを特徴とする請求項１〜３のいずれか１つに記載の識別標識生成方法。
【請求項５】
前記第１の段階は、
複数の前記識別子表示位置の指定を受け入れる段階と、
前記指定された複数の識別子表示位置に前記識別子を配置する段階と
を備えたことを特徴とする請求項１〜４のいずれか１つに記載の識別標識生成方法。
【請求項６】
前記記号は、文字又は図形を含むことを特徴とする請求項１〜５のいずれか１つに記載の識別標識生成方法。
【請求項７】
前記第４の段階は、
前記識別標識を印刷するためのデータを出力することを特徴とする請求項１〜６のいずれか１つに記載の識別標識生成方法。
【請求項８】
前記識別標識生成方法において、
前記コンピュータが、
前記識別子を指定したユーザに関するユーザ識別情報を前記識別標識に関連付けて出力する段階をさらに備えたことを特徴とする請求項１〜７のいずれか１つに記載の識別標識生成方法。
【請求項９】
同一のカテゴリに属する記号を関連付けて記録した記号データ記憶手段と、コンピュー
タとを用いて、識別子を含む識別標識を表示するためのデータを生成するための識別標識生成プログラムであって、
前記コンピュータを、
前記記号により構成される識別子の指定と、所定の記号表示範囲における識別子表示位置の指定とに基づいて、前記記号表示範囲における前記識別子表示位置に前記識別子を配置する第１の手段と、
前記識別子を構成する記号と同一のカテゴリに属する記号を前記記号データ記憶手段から抽出する第２の手段と、
前記記号表示範囲における前記識別子表示位置以外の部分に前記抽出した記号を配置した識別標識を生成する第３の手段と、
前記識別標識を出力する第４の手段
として機能させるための識別標識生成プログラム。
【請求項１０】
前記第１の手段を、
指定可能な記号をユーザに提示して、識別子の指定を促す手段として機能させることを特徴とする請求項９に記載の識別標識生成プログラム。
【請求項１１】
前記第１の手段を、
指定された識別子を構成する記号の数を計数する手段と、
前記記号の数に応じて、前記識別子を配置する位置を特定する手段
として機能させることを特徴とする請求項９又は１０に記載の識別標識生成プログラム。
【請求項１２】
前記第３の手段を、
前記第２の手段で抽出した記号を提示して、前記記号表示範囲における前記識別子表示位置以外の部分への配置に用いる記号の選択を促す手段と、
前記選択された記号を前記識別子表示位置以外の位置に配置する手段
として機能させることを特徴とする請求項９〜１１のいずれか１つに記載の識別標識生成プログラム。
【請求項１３】
前記第１の手段を、
複数の前記識別子表示位置の指定を受け入れる手段と、
前記指定された複数の識別子表示位置に前記識別子を配置する手段
として機能させることを特徴とする請求項９〜１２のいずれか１つに記載の識別標識生成プログラム。
【請求項１４】
前記記号は、文字又は図形を含むことを特徴とする請求項９〜１３のいずれか１つに記載の識別標識生成プログラム。
【請求項１５】
前記第４の手段を、
前記識別標識を印刷するためのデータを出力する手段として機能させることを特徴とする請求項９〜１４のいずれか１つに記載の識別標識生成プログラム。
【請求項１６】
前記コンピュータを、さらに、
前記識別子を指定したユーザに関するユーザ識別情報を前記識別標識に関連付けて出力する手段として機能させることを特徴とする請求項９〜１５のいずれか１つに記載の識別標識生成プログラム。
【発明の詳細な説明】
【技術分野】
【０００１】
本発明は、視覚的に示される識別標識を生成する識別標識生成方法及び識別標識生成プログラムに関する。
【背景技術】
【０００２】
他人の物と自分の物とを識別したい場合、自分の名前を書いたりマークを付すことがある。例えば、写真等の印刷の依頼を受け付けて依頼主に提供する場合、住所や氏名等を印刷した送付用紙を付すことにより、依頼主を特定する場合がある（例えば、特許文献１参照。）。
【０００３】
しかし、明示的に自分の名前やマークを付した場合、他人には自分の所有物であることを特定されるのを望まない場合がある。また、他人にも、自分の名前やマークを知られてしまうと、逆に他人がこの名前やマークを付して悪用するおそれがある。
【０００４】
一方、チケット等には偽造防止のための模様が付されている場合がある。さらに、画像データ等には電子透かし技術を用い、所定の識別子を埋め込む技術が提供されている（例えば、特許文献２参照。）。この技術は、画像データ等に通常の方法で再生しても知覚できない情報を埋め込むものであり、不正コピーや再交付等を防止するために用いられる。
【特許文献１】特開２００１−２６４８９２号公報（第５−９頁）
【特許文献２】特開２０００−５９６１０号公報（第３−６頁）
【発明の開示】
【発明が解決しようとする課題】
【０００５】
しかし、電子透かし技術等の高度な技術を用いる場合、コンピュータ等を用いなれば、真正性を把握することができない。
本発明は、上記問題点を解決するためになされたものであり、その目的は、本人は視覚的に一覧で自分の物を容易に識別することができるが、他人には識別が困難な識別標識を生成できる識別標識生成方法及び識別標識生成プログラムを提供することにある。
【課題を解決するための手段】
【０００６】
上記問題点を解決するために、請求項１に記載の発明は、同一のカテゴリに属する記号を関連付けて記録した記号データ記憶手段と、コンピュータとを用いて、識別子を含む識別標識を表示するためのデータを生成する識別標識生成方法であって、前記コンピュータが、前記記号により構成される識別子の指定と、所定の記号表示範囲における識別子表示位置の指定とに基づいて、前記記号表示範囲における前記識別子表示位置に前記識別子を配置する第１の段階と、前記識別子を構成する記号と同一のカテゴリに属する記号を前記記号データ記憶手段から抽出する第２の段階と、前記記号表示範囲における前記識別子表示位置以外の部分に前記抽出した記号を配置した識別標識を生成する第３の段階と、前記識別標識を出力する第４の段階とを備えたことを要旨とする。
【０００７】
請求項２に記載の発明は、請求項１に記載の識別標識生成方法において、前記第１の段階は、指定可能な記号をユーザに提示して、識別子の指定を促す段階を備えたことを要旨とする。
【０００８】
請求項３に記載の発明は、請求項１又は２に記載の識別標識生成方法において、前記第１の段階は、指定された識別子を構成する記号の数を計数する段階と、前記記号の数に応じて、前記識別子を配置する位置を特定する段階とを備えたことを要旨とする。
【０００９】
請求項４に記載の発明は、請求項１〜３のいずれか１つに記載の識別標識生成方法において、前記第３の段階は、前記第２の段階において抽出した記号を提示して、前記記号表示範囲における前記識別子表示位置以外の部分への配置に用いる記号の選択を促す段階と、前記選択された記号を前記識別子表示位置以外の位置に配置する段階とを備えたことを要旨とする。
【００１０】
請求項５に記載の発明は、請求項１〜４のいずれか１つに記載の識別標識生成方法において、前記第１の段階は、複数の前記識別子表示位置の指定を受け入れる段階と、前記指定された複数の識別子表示位置に前記識別子を配置する段階とを備えたことを要旨とする。
【００１１】
請求項６に記載の発明は、請求項１〜５のいずれか１つに記載の識別標識生成方法において、前記記号は、文字又は図形を含むことを要旨とする。
請求項７に記載の発明は、請求項１〜６のいずれか１つに記載の識別標識生成方法において、前記第４の段階は、前記識別標識を印刷するためのデータを出力することを要旨とする。
【００１２】
請求項８に記載の発明は、請求項１〜７のいずれか１つに記載の識別標識生成方法において、前記識別標識生成方法において、前記コンピュータが、前記識別子を指定したユーザに関するユーザ識別情報を前記識別標識に関連付けて出力する段階をさらに備えたことを要旨とする。
【００１３】
請求項９に記載の発明は、同一のカテゴリに属する記号を関連付けて記録した記号データ記憶手段と、コンピュータとを用いて、識別子を含む識別標識を表示するためのデータを生成するための識別標識生成プログラムであって、前記コンピュータを、前記記号により構成される識別子の指定と、所定の記号表示範囲における識別子表示位置の指定とに基づいて、前記記号表示範囲における前記識別子表示位置に前記識別子を配置する第１の手段と、前記識別子を構成する記号と同一のカテゴリに属する記号を前記記号データ記憶手段から抽出する第２の手段と、前記記号表示範囲における前記識別子表示位置以外の部分に前記抽出した記号を配置した識別標識を生成する第３の手段と、前記識別標識を出力する第４の手段として機能させることを要旨とする。
【００１４】
請求項１０に記載の発明は、請求項９に記載の識別標識生成プログラムにおいて、前記第１の手段を、指定可能な記号をユーザに提示して、識別子の指定を促す手段として機能させることを要旨とする。
【００１５】
請求項１１に記載の発明は、請求項９又は１０に記載の識別標識生成プログラムにおいて、前記第１の手段を、指定された識別子を構成する記号の数を計数する手段と、前記記号の数に応じて、前記識別子を配置する位置を特定する手段として機能させることを要旨とする。
【００１６】
請求項１２に記載の発明は、請求項９〜１１のいずれか１つに記載の識別標識生成プログラムにおいて、前記第３の手段を、前記第２の手段で抽出した記号を提示して、前記記号表示範囲における前記識別子表示位置以外の部分への配置に用いる記号の選択を促す手段と、前記選択された記号を前記識別子表示位置以外の位置に配置する手段として機能させることを要旨とする。
【００１７】
請求項１３に記載の発明は、請求項９〜１２のいずれか１つに記載の識別標識生成プログラムにおいて、前記第１の手段を、複数の前記識別子表示位置の指定を受け入れる手段
と、前記指定された複数の識別子表示位置に前記識別子を配置する手段として機能させることを要旨とする。
【００１８】
請求項１４に記載の発明は、請求項９〜１３のいずれか１つに記載の識別標識生成プログラムにおいて、前記記号は、文字又は図形を含むことを要旨とする。
請求項１５に記載の発明は、請求項９〜１４のいずれか１つに記載の識別標識生成プログラムにおいて、前記第４の手段を、前記識別標識を印刷するためのデータを出力する手段として機能させることを要旨とする。
【００１９】
請求項１６に記載の発明は、請求項９〜１５のいずれか１つに記載の識別標識生成プログラムにおいて、前記コンピュータを、さらに、前記識別子を指定したユーザに関するユーザ識別情報を前記識別標識に関連付けて出力する手段として機能させることを要旨とする。
【００２０】
（作用）
請求項１又は９に記載の発明によれば、指定された識別子を指定された識別子表示位置に表示するとともに、記号表示範囲における識別子表示位置以外の部分には、その識別子を構成する記号と同一のカテゴリに属する記号を配置する。これにより、指定された識別子を、指定された識別子表示位置に配置できるとともに、その識別子を、その識別子と同一のカテゴリに属する記号の中に埋め込んで表示できる。従って、識別子及び識別子表示位置を指定したユーザは視覚的に一覧で容易に識別子を確認でき、そのユーザ以外には識別子の把握を困難にすることができる。また、指定された識別子を構成する記号と同一のカテゴリに属する記号の中に識別子を埋め込むため、識別子及び識別子表示位置の指定を行ったユーザ以外が識別子を把握するのを、より困難にすることができる。
【００２１】
請求項２又は１０に記載の発明によれば、識別子の指定を行うユーザは、提示された記号を用いて識別子を指定できる。
請求項３又は１１に記載の発明によれば、ユーザは、任意の数の記号を識別子として指定できる。
【００２２】
請求項４又は１２に記載の発明によれば、ユーザにより選択された記号のみを、指定された識別子表示位置以外の部分への配置に用いることができる。
請求項５又は１３に記載の発明によれば、記号表示範囲中の指定された複数の識別子表示位置に、識別子を埋め込むことができる。
【００２３】
請求項６又は１４に記載の発明によれば、文字又は図形を用いて識別子を生成できる。
請求項７又は１５に記載の発明によれば、指定された識別子を、指定された識別子表示位置に配置し、その識別子と同一のカテゴリに属する記号の中に埋め込んで印刷できる。従って、ユーザは、識別子及び識別子表示位置を指定して、識別標識を印刷した印刷物を得ることができる。
【００２４】
請求項８又は１６に記載の発明によれば、ユーザ識別情報を識別標識と関連付けて表示できる。従って、例えば、識別子及び識別子表示位置の指定を行ったユーザ以外の者がユーザ識別情報を用いてユーザを特定できる一方、ユーザは、識別標識に基づいて、自分の指示によるものであることを確認できる。このため、例えば、ユーザ識別情報及び識別標識がされた対象物の配布は、識別子及び識別子表示位置の指定を行ったユーザ以外の者ができ、その者によって配布された対象物について、そのユーザが、識別標識を用いて自分に属することを確認できる。
【発明の効果】
【００２５】
本発明によれば、本人は視覚的に一覧で自分の物を容易に識別することができるが、他人には識別が困難な識別標識を生成できる。
【発明を実施するための最良の形態】
【００２６】
（第１の実施形態）
以下、本発明を具体化した第１の実施形態を図１〜図７に従って説明する。本実施形態では、ユーザによって指定された記号から構成された識別子を埋め込んだ識別標識を生成するための識別標識生成方法及び識別標識生成プログラムとして説明する。本実施形態では、識別子を埋め込んだ識別標識を印刷した識別ラベルを作成し、ユーザに提供する。
【００２７】
図１に示すように、印刷システム２０は、インターネット３０を介してユーザ端末３１に接続されている。ユーザは、ユーザ端末３１を用いて印刷システム２０にアクセスし、識別子が印刷された識別ラベルの提供を受ける。
【００２８】
ユーザ端末３１は、ネットワークを介してデータを送信する機能や、受信したデータを表示する機能等を有するユーザのコンピュータ端末である。このユーザ端末３１は、図示しないＣＰＵ、ＲＡＭ、ＲＯＭの他、キーボード、マウス等の入力手段、ディスプレイ等の出力手段、モデム等の通信手段等を有する。
【００２９】
印刷システム２０は、ユーザによって指定された記号からなる識別子を埋め込んだ識別ラベルを印刷するための各種データ処理を行う。この印刷システム２０は、コンピュータとしての管理コンピュータ２１を備えている。
【００３０】
この管理コンピュータ２１は、各ユーザ端末３１との間でのデータ送受信や、各種情報の管理を実行するためのデータの管理処理等を行う。この管理コンピュータ２１は、図示しないＣＰＵ、ＲＡＭ、ＲＯＭ等を有し、後述する処理（第１の段階、第２の段階、第３の段階、第４の段階等を含む処理）を行う。そのための識別標識生成プログラムを実行することにより、管理コンピュータ２１は、第１の手段、第２の手段、第３の手段、第４の手段等として機能する。
【００３１】
管理コンピュータ２１は、記号データ記憶手段としての記号データ記憶部２２に接続されている。
記号データ記憶部２２には、図２に示すように、識別子に使用可能な記号をカテゴリ毎にまとめた記号群データ２２０が、カテゴリ毎に記録されている。この記号群データ２２０は、識別子として使用可能な記号について、予め記録されている。記号群データ２２０は、カテゴリ毎に、カテゴリ及び記号群に関するデータを含んで構成される。
【００３２】
カテゴリデータ領域には、記号のカテゴリに関するデータが記録される。
記号群データ領域には、そのカテゴリに属する記号に関するデータが記録される。本実施形態では、識別子に使用可能な記号は、全角ローマ字（大文字）、全角ローマ字（小文字）、全角数字、全角カタカナ、ひらがな、漢字、ギリシャ文字（大文字）、ギリシャ文字（小文字）、一般記号、半角ローマ字（大文字）、半角ローマ字（小文字）、半角数字、半角カタカナ等のカテゴリに分類される。そして、それらのカテゴリに属する記号の集合が、記号群データ領域に記録されている。例えば、カテゴリが「全角ローマ字（大文字）」の場合、記号群データ領域には、「Ａ，Ｂ，Ｃ…」の各記号に関するデータが記録されている。
【００３３】
管理コンピュータ２１には、さらに、出力装置３５が接続されている。出力装置３５は、管理コンピュータ２１から送信された印刷要求に基づいて印刷処理を行う。この出力装置３５は、図示しない印刷手段（プリンタエンジン）、制御手段（ＣＰＵ）、記憶手段（
ＲＡＭ、ＲＯＭ等）、通信手段、表示手段、入力手段等を備えている。
【００３４】
上記のように構成されたシステムにおいて、識別標識に用いる識別ラベルを印刷する場合の処理手順を図３〜図７を用いて説明する。
ユーザは、まず、ユーザ端末３１を用いて管理コンピュータ２１にアクセスし、識別ラベルの印刷サービスの利用申込を行う。ここでは、まず、ユーザ端末３１に申込画面を表示させる。この申込画面には、識別標識を印刷した識別ラベルの送付先として、ユーザの住所及び氏名の入力欄が設けられている。この格子込み画面において、ユーザは、住所及び氏名を入力して送信処理を行う。
【００３５】
これにより、ユーザ端末３１は、図３に示すように、識別子設定要求データを管理コンピュータ２１に送信する（ステップＳ１−１）。この識別子設定要求データはユーザの住所及び氏名に関するデータを含む。
【００３６】
識別子設定要求データを受信した管理コンピュータ２１は、受信したユーザの住所及び氏名に関するデータを記録し、識別子指定画面データをユーザ端末３１に送信する（ステップＳ１−２）。
【００３７】
識別子指定画面データを受信したユーザ端末３１は、図４に示す表示画面４０を表示する。この表示画面４０には、識別子入力欄４１及び決定ボタン４２が設けられている。この識別子入力欄４１において、ユーザは、ユーザ端末３１のキーボード等の入力手段を用いて識別子を指定する。ここでは、識別子として１以上の記号を用いることとする。なお、本実施形態では、識別子として用いる記号は、全角又は半角のいずれかのみの指定を可能とする。このため、全角の記号と半角の記号とが組み合わされた記号からなる識別子の指定はエラーとする。ここでは、ユーザは、識別子として「ＡＥＲＷＲ３」を入力する。そして、決定ボタン４２をクリックすると、ユーザ端末３１は、指定された識別子に関するデータを管理コンピュータ２１に送信する（ステップＳ１−３）。
【００３８】
これを受信した管理コンピュータ２１は、識別子の表示位置を指定するための指定画面データをユーザ端末３１に送信する（ステップＳ１−４）。具体的には、管理コンピュータ２１は、まず、受信した識別子に関するデータに基づいて、識別子を構成する記号が全角又は半角のいずれであるかを調べる。そして、管理コンピュータ２１は、識別子を構成する記号が全角又は半角のいずれであるかに基づいて、所定の記号表示範囲を記号設定区分に分割する。ここでは、識別子として「ＡＥＲＷＲ３」が入力されており、識別子を構成する記号は全角である。このため、記号表示範囲を、全角の文字で埋めるように分割する。なお、本実施形態では、表示する記号の大きさは、全角又は半角それぞれについて、予め定められている。そして、管理コンピュータ２１は、その記号設定区分に分割された記号表示範囲を示す識別子表示位置の指定画面データを生成し、ユーザ端末３１に送信する。
【００３９】
この指定画面データを受信したユーザ端末３１は、図５に示す表示画面５０を表示する。この表示画面５０には、所定の記号表示範囲に相当する升目５１が表示される。この升目５１の各升は、識別子を構成する記号、及びその記号と同じカテゴリに属する記号の設定位置を示す。ここでは、識別子として指定された「ＡＥＲＷＲ３」を構成する各記号が全角であるため、記号表示範囲を全角の文字で埋めるように分割した升目５１が表示される。
【００４０】
ユーザは、マウス等を用いて、ポインタ５２を移動させ、識別子を挿入する位置を選択する。本実施形態では、識別子の１番目の記号を設定する升（開始位置５３）をクリックすると、その位置の升から連続する識別子を構成する記号数に相当する数の升が識別子表
示位置５４として選択される。そして、選択された識別子表示位置５４の升の色が変更される。ここでは、識別子として「ＡＥＲＷＲ３」が指定されており、識別子を構成する記号数は「６」であるため、指定された升から連続する６個の升が識別子表示位置５４として選択される。
【００４１】
この表示画面５０には、クリアボタン５５及び決定ボタン５６が設けられている。クリアボタン５５は、識別子表示位置５４を選択し直す場合に使用される。クリアボタン５５をクリックすると、選択された識別子表示位置５４の設定が解除され、識別子表示位置５４の選択を初めからやり直すことが可能となる。決定ボタン５６は、指定された識別子表示位置５４に識別子を表示することを決定する場合に使用される。識別子表示位置５４が指定され、決定ボタン５６がクリックされると、ユーザ端末３１は、識別子表示位置に関するデータを管理コンピュータ２１に送信する（ステップＳ１−５）。
【００４２】
これを受信した管理コンピュータ２１は、ユーザ端末３１から受信した識別子に関するデータと識別子表示位置に関するデータとに基づいて、指定された識別子を指定された識別子表示位置に配置する（ステップＳ１−６）。ここでは、図６に示すように、記号表示範囲６０の識別子表示位置６１に、指定された識別子「ＡＥＲＷＲ３」を配置する。
【００４３】
次に、管理コンピュータ２１は、指定された識別子を構成する記号と同一のカテゴリに属する記号を記号データ記憶部２２から抽出する（ステップＳ１−７）。具体的には、管理コンピュータ２１は、まず、指定された識別子を構成する記号それぞれについて、記号データ記憶部２２の各記号群データ２２０の記号群を検索し、その記号が属するカテゴリに関するデータを抽出する。そして、管理コンピュータ２１は、指定された識別子に用いられる各記号について、この処理を行い、抽出されたカテゴリの比率を算出する。さらに、管理コンピュータ２１は、算出された比率と、記号表示範囲６０における識別子表示位置６１以外に対応する記号数とから、各カテゴリから抽出する記号の数を算出する。そして、管理コンピュータ２１は、算出された数の記号を、それぞれのカテゴリの記号群データ２２０からランダムに抽出する。
【００４４】
ここでは、指定された識別子「ＡＥＲＷＲ３」について、「Ａ，Ｅ，Ｒ，Ｗ，Ｒ」が属するカテゴリは「全角ローマ字（大文字）」である。また、「３」が属するカテゴリは「全角数字」である。そして、「全角ローマ字（大文字）」と「全角数字」との比率は、５：１である。従って、管理コンピュータ２１は、記号表示範囲６０における識別子表示位置６１以外に対応する記号数の記号を、カテゴリが「全角ローマ字（大文字）」の記号群データ２２０と、カテゴリが「全角数字」の記号群データ２２０とから５：１の比率でランダムに抽出する。
【００４５】
次に、管理コンピュータ２１は、記号表示範囲の識別子表示位置以外の部分に、識別子を構成する記号と同一カテゴリの記号を配置する（ステップＳ１−８）。具体的には、管理コンピュータ２１は、記号データ記憶部２２から抽出した記号を、記号表示範囲の識別子表示位置以外の部分にランダムに配置する。ここでは、記号表示範囲６０における識別子表示位置６１以外の区分に、記号データ記憶部２２から抽出した記号をランダムに配置する。
【００４６】
そして、管理コンピュータ２１は、記号表示範囲６０に対応する識別標識の表示データをユーザ端末３１に送信する（ステップＳ１−９）。
これを受信したユーザ端末３１は、識別子及びその他の記号が配置された記号表示範囲６０の表示と、承認ボタンとを含む記号表示範囲の表示画面を表示する。ユーザは、この表示画面において記号表示範囲６０を確認し、承認する場合、承認ボタンを用いて承認入力を行う。これにより、ユーザ端末３１は、提示した記号表示範囲６０の承認に関する承
認データを管理コンピュータ２１に送信する（ステップＳ１−１０）。
【００４７】
そして、承認データを受信した管理コンピュータ２１は、記号表示範囲６０を含む識別ラベルの印刷処理を行う（ステップＳ１−１１）。本実施形態では、管理コンピュータ２１は、出力装置３５に記号表示範囲６０に対応する識別標識の印刷要求を行い、出力装置３５が、その識別標識を所定のラベル用紙に印刷する。また、管理コンピュータ２１は、ステップＳ１−１においてユーザ端末３１から受信して記録したユーザの住所及び氏名に関するデータを出力装置３５に送信して送付用封筒の印刷要求を行う。これにより、出力装置３５は、送付用封筒にユーザの住所及び氏名を印刷する。そして、出力装置３５は、送付用封筒に記号表示範囲６０に対応する識別標識を印刷した識別ラベルを封入する。そして、印刷システム２０の運用者は、その識別標識を印刷した識別ラベルを封入した封筒をユーザに郵送する。
【００４８】
以上、本実施形態によれば、以下に示す効果を得ることができる。
・  上記実施形態では、管理コンピュータ２１は、記号データ記憶部２２に記録された記号により構成される識別子の指定と、所定の記号表示範囲における識別子表示位置の指定とをユーザ端末３１から受信し、その記号表示範囲における識別子表示位置に識別子を配置する。そして、コンピュータは、その識別子を構成する記号と同一のカテゴリに属する記号を記号データ記憶部２２から抽出し、その記号表示範囲における指定された表示位置以外の部分に、抽出した記号を配置する。そして、その識別子を含む識別標識を出力する。このため、指定された識別子を、指定された識別子表示位置に配置できるとともに、その識別子を、その識別子と同一のカテゴリに属する記号の中に埋め込んだ識別標識を生成することができる。従って、識別子及び識別子表示位置を指定したユーザは視覚的に一覧で容易に識別子を確認でき、そのユーザ以外には識別子の把握を困難にすることができる。また、指定された識別子を構成する記号と同一のカテゴリに属する記号の中に識別子を埋め込むため、識別子及び識別子表示位置の指定を行ったユーザ以外が識別子を把握することを、より困難にすることができる。
【００４９】
・  上記実施形態では、管理コンピュータ２１は、任意の数の記号により構成される識別子の指定を受け入れ、識別子を構成する記号の数に応じて、識別子を配置する位置を特定する。このため、ユーザは、任意の数の記号を識別子として指定できる。
【００５０】
・  上記実施形態では、管理コンピュータ２１は、複数の識別子表示位置の指定を受け入れ、指定された複数の識別子表示位置に識別子を配置する。このため、記号表示範囲中の指定された複数の識別子表示位置に、識別子を埋め込むことができる。
【００５１】
・  上記実施形態では、識別子を構成する記号として、全角ローマ字（大文字）、全角ローマ字（小文字）、全角数字等の文字や一般記号等がカテゴリ毎に分類されている。このため、これらの記号を、同一のカテゴリの記号の中に埋め込むことができ、他人が識別子及びその位置を把握することを、より難しくすることができる。
【００５２】
・  上記実施形態では、カテゴリ毎の識別子を構成する記号の比率に応じて、各カテゴリから抽出する、識別子表示位置以外の部分に配置する記号の比率を決定する。このため、他人が識別子やその位置を把握することを、より難しくすることができる。
【００５３】
・  上記実施形態では、指定された識別子を、指定された識別子表示位置に配置し、その識別子と同一のカテゴリに属する記号の中に識別子を埋め込んだ識別標識をラベルに印刷する。このため、ユーザは、識別子及び識別子表示位置を指定して、識別標識を印刷した印刷物である識別ラベルを得ることができる。
【００５４】
（第２の実施形態）
以下、本発明を具体化した第２の実施形態を図８〜図１４に従って説明する。本実施形態では、ユーザ端末からの印刷要求に基づいて印刷した印刷物を梱包し、その梱包を識別標識により確認できるようにして提供する。
【００５５】
図８に示すように、プリントショップやコンビニエンスストア等に、梱包手段付き印刷手段としての文書出力装置７０が設置されている。この文書出力装置７０は、印刷支援サーバ２９及びユーザ端末３１とインターネット３０を介して接続されている。
【００５６】
ユーザ端末３１は、図示しない制御手段（ＣＰＵ）、記憶手段（ＲＡＭ、ＲＯＭ、ハードディスク等）、通信手段、表示手段（例えば、モニタ）、入力手段（例えば、キーボードやマウス）等を備えたコンピュータである。
【００５７】
文書出力装置７０は、印刷支援サーバ２９から印刷データを受信して印刷を行う、プリントショップやコンビニエンスストア等の店舗に設置されている公共のプリンタである。文書出力装置７０は、インターネット３０に接続され、特定のＩＰアドレスを有している。そして、文書出力装置７０は、印刷支援サーバ２９から印刷データを受信すると、その印刷データを保存し、文書出力装置７０の入力手段から出力要求が入力された場合に、印刷を実行し、出力された印刷物を梱包する。
【００５８】
印刷支援サーバ２９は、図８に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有する。管理コンピュータ２１は、ユーザ端末３１から印刷データを受信して文書出力装置７０を検索し、その中からユーザによって選択された文書出力装置７０に、受付番号を付与して印刷データを送信する。
【００５９】
管理コンピュータ２１には、記号データ記憶部２２、ユーザデータ記憶部２３、出力先データ記憶部２４及び受付データ記憶部２５がそれぞれ接続されている。
記号データ記憶部２２には、上記第１の実施形態の場合と同様に、図２に示すように、識別子に使用可能な記号をカテゴリ毎にまとめた記号群データ２２０が、カテゴリ毎に記録されている。
【００６０】
ユーザデータ記憶部２３には、図９に示すように、ユーザに関するユーザデータ２３０がユーザ毎に記録されている。このユーザデータ２３０は、ユーザが本実施形態のサービスの提供を受けることを登録した場合に記録される。ユーザデータ２３０は、ユーザＩＤ及びユーザ名に関するデータを含んで構成される。
【００６１】
ユーザＩＤデータ領域には、ユーザを識別するための識別子に関するデータが記録される。ユーザ名データ領域には、ユーザの氏名に関するデータが記録される。
出力先データ記憶部２４には、図１０に示すように、出力先データ２４０が文書出力装置７０毎に記録されている。この出力先データ２４０は、設置された店舗に印刷支援サービスを提供するために文書出力装置７０が登録された場合に記録される。出力先データ２４０は、ＩＰアドレス、機種、店舗名及び所在地に関するデータを含んで構成される。
【００６２】
ＩＰアドレスデータ領域には、プリントショップやコンビニエンスストア等の店舗に設置された文書出力装置７０のインターネット３０上のＩＰアドレスに関するデータが記録される。機種データ領域には、文書出力装置７０の機種に関するデータが記録される。店舗名データ領域には、文書出力装置７０が設定されている店舗の店舗名に関するデータが記録される。所在地データ領域には、文書出力装置７０が設置された店舗の所在地の緯度及び経度に関するデータが記録される。
【００６３】
受付データ記憶部２５には、図１１に示すように、受け付けた印刷依頼毎に受付データ２５０が記録されている。この受付データ２５０は、管理コンピュータ２１が選択された文書出力装置７０に印刷データを送信した場合に記録される。受付データ２５０は、受付番号、ユーザＩＤ、出力先のＩＰアドレス及び受付時期に関するデータを含んで構成される。
【００６４】
受付番号データ領域には、印刷支援サーバ２９が仲介した印刷依頼を識別するための識別子に関するデータが記録される。ユーザＩＤデータ領域には、ユーザを識別するための識別子としてのユーザＩＤに関するデータが記録される。出力先のＩＰアドレスデータ領域には出力先のＩＰアドレスに関するデータが記録される。受付時期データ領域にはユーザ端末３１から文書出力装置７０の選択データを受信した年月日及び時刻に関するデータが記録される。
【００６５】
（文書出力装置７０の構成）
図１２に示すように、文書出力装置７０は、印刷装置７１と梱包装置７２とから構成される。印刷装置７１は、通常のプリンタ又は複合機としての各手段を備えている。つまり、印刷装置７１は、図示しない印刷手段（プリンタエンジン）、制御手段（ＣＰＵ）、記憶手段（ＲＡＭ、ＲＯＭ等）、通信手段、表示手段、入力手段等を備えている。また、印刷装置７１は、排出口７３から、梱包装置７２の用紙積載手段７４の中に広げられた梱包材としての梱包素材９０の中に出力紙８０を排出するようになっている。
【００６６】
梱包装置７２は、印刷装置７１の排出口７３と平行にチューブ状のビニールをロール状に巻回した梱包素材９０を支持する。そして、梱包装置７２は、梱包素材９０を排出口７３側に繰り出し、用紙積載手段７４内で印刷装置７１の排出口７３側に移送させつつ先端を開く。そして、後述するようにして梱包素材９０の先端を開いた状態で固定し、排出口７３側から出力紙８０を投入可能となっている。一方、用紙積載手段７４に対してロール状の梱包素材９０の側には、梱包素材９０を繰り出しつつ用紙積載手段７４内へ送り込むための一対の送りローラ７５が備えられている。送りローラ７５は、二つ折り状の梱包素材９０を挟み込んで密着している。そして、送りローラ７５は、ロール状に支持された二つ折り状の梱包素材９０を徐々に引き出し、用紙積載手段７４側に送り出す。
【００６７】
さらに、送りローラ７５の用紙積載手段７４側には、梱包素材９０を挟み込んで対峙する一対のノズル（図示せず）が固定されており、このノズルから空気流が送り出されるようになっている。なお、特開平１１−１１５９０８号公報に、ノズルから空気流を送り出すことによりチューブ状の袋素材の先端を開きつつ、その袋素材を筒部材に送り込む機構が開示されている。本実施形態では、袋素材は梱包素材９０に対応し、筒部材は用紙積載手段７４に対応する。そして、ノズルから送り出される空気流により梱包素材９０の先端を開きつつ、送りローラ７５は、梱包素材９０を用紙積載手段７４に送り出す。
【００６８】
ここで、ロール状の梱包素材９０を送りローラ７５にセットする際、同梱包素材９０の先端部分を少し開いておき、内部に空気を入れておく。このようにして送りローラ７５で挟み込むと、間に封じ込まれた空気は空気溜まりとなり、送りローラ７５を通過する梱包素材９０を一度は開くように作用することになる。そして、送りローラ７５を駆動させてロール状の梱包素材９０を繰り出させ、用紙積載手段７４内に送り込む。また、ノズルから空気流を吹き出させることにより、送り込まれる梱包素材９０の先端が開く。そして、梱包素材９０は、用紙積載手段７４の内壁面に沿って排出口７３側へと移送されていく。
【００６９】
用紙積載手段７４の送りローラ７５側には、梱包素材９０の長手方向と直行する方向に行き渡る一対の第１ヒータ７６が備えられている。この第１ヒータ７６は、第１ヒータ移
動用モータ（図示せず）によって互いに近接及び離反する。この第１ヒータ７６は、その間に梱包素材９０を介在させた状態で挟み込みつつ加熱することにより、梱包素材９０をその長手方向と直交する方向に綴じ合わせることができる。また、第１ヒータ７６の近傍には、梱包装置７２の制御部の制御により負圧が供給される第１吸引手段（図示せず）が備えられている。この第１吸引手段に負圧が供給されると、梱包素材９０が第１吸引手段に吸引されて支持される。この第１吸引手段は、第１ヒータ７６とともに移動するようになっている。
【００７０】
第１ヒータ７６の送りローラ７５側には、梱包素材９０を挟み込んで一対のカッタ７８が、互いに近接及び離反するとともに、往復動可能に支持されている。このカッタ７８は互いに刃先を内側に向けて傾斜されている。カッタ７８のそれぞれをカッタ駆動用モータ（図示せず）にてスライド駆動させると梱包素材９０に対して刃先が食い込んで切断し、その後、当該カッタ７８は離反し退避するようになっている。
【００７１】
用紙積載手段７４の排出口７３側には梱包素材９０の長手方向と直行する方向に行き渡る一対の第２ヒータ７７が備えられている。この第２ヒータ７７は、第２ヒータ移動用モータ（図示せず）によって互いに近接及び離反する。この第２ヒータ７７は、その間に梱包素材９０を介在させた状態で挟み込みつつ加熱することにより、梱包素材９０をその長手方向と直交する方向に綴じ合わせることができる。また、第２ヒータ７７の近傍には、梱包装置７２の制御部の制御により負圧が供給される第２吸引手段（図示せず）が備えられている。この第２吸引手段に負圧が供給されると、梱包素材９０が吸引手段に吸引されて支持される。この第２吸引手段は、第２ヒータ７７とともに移動するようになっている。
【００７２】
また、本実施形態では、最上層の出力紙８０及び最下層の出力紙８０をそれぞれ梱包素材９０と一体化させて出力紙８０を梱包する。ここで、本実施形態では、熱圧着により、最上層の出力紙８０及び最下層の出力紙８０をそれぞれ梱包素材９０と一体化させる。
【００７３】
このため、梱包装置７２は、用紙積載手段７４に排出された出力紙８０のうち最下層の出力紙８０と最上層の出力紙８０とをそれぞれ梱包素材９０に熱圧着させるための熱圧着手段（図示せず）を備えている。本実施形態では、熱圧着フィルムを用いて梱包素材９０と出力紙８０とを接着する。この熱圧着フィルムは、その両側の外面に、それぞれ所定の温度に加熱されることにより接触物に溶着する熱溶性の接着剤が塗布されている。この熱圧着フィルムは、印刷装置７１の熱圧着フィルム格納手段に格納されており、用紙積載手段７４に排出される。
【００７４】
文書出力装置７０は、梱包装置７２の用紙積載手段７４に梱包素材９０を支持すると、印刷装置７１から熱圧着フィルムを排出し、出力紙８０の出力を終えると、さらに、印刷装置７１から熱圧着フィルムを排出する。そして、印刷装置７１と梱包素材９０との間に熱圧着フィルムを挟んで梱包素材９０の外側から、熱圧着手段により、所定の温度に保ちつつ圧力を加えて、最下層の出力紙８０と最上層の出力紙８０とをそれぞれ梱包素材９０に接着させる。
【００７５】
さらに、梱包装置７２は、パッケージ８１（出力紙８０を梱包素材９０による袋９１で梱包したもの）を保管するストック部７９、パッケージ８１をストック部７９に搬送する搬送手段等を備えている。搬送手段は、梱包装置７２の制御部の制御によりパッケージ８１をストック部７９に搬送する。なお、ストック部７９からパッケージ８１を取り出す場合には、専用の鍵を用いて、ストック部７９の開閉手段を開く。この鍵は、本実施形態では、文書出力装置７０を設置している店舗に保管する。
【００７６】
梱包装置７２における一連の作業は、梱包装置７２に備えられた制御部によって制御されている。梱包装置７２の制御部は、印刷装置７１の制御部にインターフェースを介して接続されている。
【００７７】
（印刷の処理手順）
次に、上記のように構成されたシステムにおいて、ユーザ端末３１からの印刷要求に基づいて、選択された文書出力装置７０が印刷、梱包を行う場合の処理手順を、図１３に従って説明する。
【００７８】
電子ファイルの印刷を行う場合、ユーザは、まず、ユーザ端末３１において、指示画面に従って印刷要求操作を行う。ユーザにより印刷要求操作が行われると、ユーザ端末３１は、印刷対象の電子ファイルをプリンタドライバにより印刷データに変換する。なお、この印刷データのヘッダには、印刷データを生成したプリンタドライバに対応したプリンタ（文書出力装置）の機種の指定と、片面印刷又は両面印刷のいずれで印刷するかについての指定が含まれる。そして、ユーザ端末３１は、ユーザＩＤを付してその印刷データを印刷支援サーバ２９に送信する（ステップＳ２−１）。印刷支援サーバ２９の管理コンピュータ２１は、この印刷データを受信する。そして、管理コンピュータ２１は、この印刷データを図示しない記憶部に記憶する（ステップＳ２−２）。
【００７９】
次に、印刷支援サーバ２９の管理コンピュータ２１は、ユーザ端末３１との間で、識別標識生成処理を行う（ステップＳ２−３）。具体的には、管理コンピュータ２１は、上記第１の実施形態で説明した処理を行い、指定された識別子を指定された識別子表示位置に埋め込んだ識別標識を表示させる識別標識データを生成する。
【００８０】
次に、管理コンピュータ２１は、ユーザの現在地の緯度及び経度を特定し、ユーザの現在地から所定の距離内で、印刷可能な文書出力装置７０を検索する（ステップＳ２−４）。具体的には、ユーザ端末３１にＧＰＳ機能が搭載されている場合には、ＧＰＳ機能により取得した位置情報がユーザ端末３１から送信され、管理コンピュータ２１は、それに基づいてユーザの緯度及び経度を特定する。一方、ユーザ端末３１にＧＰＳ機能が搭載されていない場合は、管理コンピュータ２１は、ユーザの現在地を入力するためのウェブページにおいて入力された現在地に関する情報を受信して、それを緯度及び経度に変換する。そして、管理コンピュータ２１は、出力先データ２４０の所在地の緯度及び経度とユーザの緯度及び経度とからユーザから所定距離の範囲内に位置する文書出力装置７０についての出力先データ２４０を抽出する。そして、管理コンピュータ２１は、受信した印刷データのヘッダに含まれる機種指定と出力先データ２４０の機種に基づいて、その印刷データに基づいて印刷可能な文書出力装置７０を特定する。
【００８１】
そして、管理コンピュータ２１は、検索された文書出力装置７０についての情報を表示するためのデータをユーザ端末３１に送信する（ステップＳ２−５）。
これを受信すると、ユーザ端末３１は、検索された文書出力装置７０についての情報を有する検索結果画面を表示する。この検索結果画面には、ユーザの付近の地図及び検索された文書出力装置７０の一覧が表示される。ユーザの付近の地図には、特定したユーザの現在地と出力先データ２４０の所在地とに基づいて、ユーザの現在地と検索された文書出力装置７０が設置された店舗の位置とが表示される。検索された文書出力装置７０の一覧には、検索された各文書出力装置７０について、それらが設置された店舗の店舗名、及び、その文書出力装置７０の機種が表示される。
【００８２】
ユーザが印刷を実行させる文書出力装置７０を決定して選択入力を行うと、ユーザ端末３１は、それに従って、その文書出力装置７０についての選択データを印刷支援サーバ２９に送信する（ステップＳ２−６）。この選択データには、ユーザＩＤ及び選択された文
書出力装置７０のＩＰアドレスが含まれる。
【００８３】
この選択データを受信した印刷支援サーバ２９の管理コンピュータ２１は、受付番号を付与する。そして、管理コンピュータ２１は、選択された文書出力装置７０のＩＰアドレスに、受付番号、ユーザＩＤ、ユーザ名及び識別標識データを付加して印刷データを送信する（ステップＳ２−７）。
【００８４】
これを受信した文書出力装置７０は、受信した受付番号、ユーザＩＤ及びユーザ名に関するデータと、識別標識データと印刷データとを文書出力装置７０の記憶手段に記録する（ステップＳ２−８）。
【００８５】
さらに、管理コンピュータ２１は、受付番号をユーザ端末３１に送信する（ステップＳ２−９）。受付番号を受信したユーザ端末３１は、その受付番号を表示する（ステップＳ２−１０）。そして、管理コンピュータ２１は、受付データ２５０を受付データ記憶部２５に記録する（ステップＳ２−１１）。具体的には、管理コンピュータ２１は、印刷データに付加した受付番号及びユーザＩＤに基づいて、受付データ２５０の受付番号及びユーザＩＤを記録する。印刷データを送信した文書出力装置７０のＩＰアドレスに基づいて、受付データ２５０の出力先のＩＰアドレスを記録する。また、管理コンピュータ２１が選択データを受信した年月日及び時刻に基づいて、受付データ２５０の受付時期を記録する。そして、管理コンピュータ２１は、ステップＳ２−２において記録した印刷データを削除する。
【００８６】
一方、文書出力装置７０は、ステップＳ２−８において記録した印刷データと、受付番号、ユーザＩＤ及びユーザ名に関するデータと、識別標識データとに基づいて、印刷処理を実行する（ステップＳ２−１２）。この印刷処理を図１４を用いて説明する。
【００８７】
図１４に示すように、印刷データを受信した文書出力装置７０は、まず、梱包素材の設定を行う（ステップＳ３−１）。具体的には、まず、文書出力装置７０が印刷データを受信すると、印刷装置７１の制御部は、梱包装置７２の制御部に印刷データの受信を通知する。この通知を受信した梱包装置７２の制御部は、送りローラ制御モータ（図示せず）により送りローラ７５を駆動し、送りローラ７５により梱包素材９０を用紙積載手段７４側に送り出す。また、印刷装置７１の制御部は、ノズルから空気流を吹き出させるように制御する。すると、上述したように、ノズルから吹き出された空気流により、送り込まれる梱包素材９０の先端が開く。そして、梱包素材９０は、用紙積載手段７４の内壁面に沿って排出口７３側へと移送されていく。
【００８８】
そして、梱包素材９０の先端が第２ヒータ７７に接する位置となるまで梱包素材９０を送り出すと、送りローラ制御モータは、送りローラ７５を停止させる。そして、梱包装置７２の制御手段は、第１ヒータ７６側の第１吸引手段と第２ヒータ７７側の第２吸引手段とにそれぞれ負圧を供給させる。これにより、梱包素材９０は、第１吸引手段及び第２吸引手段にそれぞれ吸引されて支持される。このようにして梱包素材が設定されると、梱包装置７２の制御部は、梱包素材設定完了を印刷装置７１の制御部に通知する。
【００８９】
ここで、印刷装置７１は、両面印刷が可能であり、出力紙８０の表側の面が下側を向くように出力紙８０を用紙積載手段７４に出力する。そして、印刷装置７１が複数の出力紙８０を出力する場合、出力された出力紙８０が、積み重ねられていく。従って、積み重ねられた出力紙８０においては、下側を向いた面は最初に出力された出力紙８０の表側の面となり、上側を向いた面は最後に出力された出力紙８０の裏側の面となる。
【００９０】
設定完了の通知を受けると、印刷装置７１は、熱圧着フィルムを用紙積載手段７４に排
出する。そして、印刷装置７１は、受付番号、ユーザＩＤ、ユーザ氏名及び識別標識を、第１の印刷用紙の表側の面に印刷する（ステップＳ３−２）。具体的には、印刷装置７１は、記録した受付番号、ユーザＩＤ及びユーザ氏名に関するデータと識別標識データとに基づいて、予め定めた表示位置に受付番号、ユーザＩＤ、ユーザ氏名及び識別標識をそれぞれ印刷する。なお、第１の印刷用紙とは、印刷要求に応じて最初に出力する出力紙８０の印刷に用いる印刷用紙である。そして、印刷装置７１は、これらを印刷した第１の出力紙としての出力紙８０を用紙積載手段７４に排出する。
【００９１】
次に、印刷装置７１は、印刷要求がされた文書（依頼文書）を印刷データに基づいて第２の印刷用紙に印刷し（ステップＳ３−３）、依頼文書を印刷した第２の出力紙としての出力紙８０を１枚ずつ用紙積載手段７４に排出する。なお、本実施形態では、第２の印刷用紙として第１の印刷用紙と同様の種類の印刷用紙を用いる。従って、本実施形態では、第２の印刷用紙は、第１の印刷用紙を給紙した給紙トレイから給紙する。
【００９２】
なお、本実施形態では、依頼文書の印刷は、片面印刷又は両面印刷のいずれも可能であり、印刷装置７１は、印刷データのヘッダに設定された両面印刷又は片面印刷のいずれかの指定に従って印刷を行う。
【００９３】
そして、依頼文書の印刷及び用紙積載手段７４への排出が終了すると、印刷装置７１は、第３の印刷用紙の裏側の面に印刷を行う。具体的には、印刷装置７１は、第３の印刷用紙の裏側の面に、受付番号、ユーザＩＤ、ユーザ氏名及び識別標識を印刷する（ステップＳ３−４）。そして、印刷装置７１は、これらが印刷された第３の出力紙としての出力紙８０を用紙積載手段７４に排出する。この出力紙８０は、用紙積載手段７４に積み重ねられている出力紙８０の上に、裏側の面を上にして積み重ねられる。従って、用紙積載手段７４に積み重ねられた出力紙８０の上側を向いている面は、受付番号、ユーザＩＤ、ユーザ氏名及び識別標識が印刷された面となる。
【００９４】
そして、印刷装置７１は、熱圧着フィルムを用紙積載手段７４に排出する。この熱圧着フィルムは、用紙積載手段７４に積み重ねられた出力紙８０の上に積み重ねられる。そして、印刷装置７１の制御手段は、梱包装置７２の制御手段に印刷終了を通知する。
【００９５】
印刷終了の通知を受けた梱包装置７２の制御手段は、梱包素材の綴じ合わせのための処理を行う（ステップＳ３−５）。具体的には、梱包装置７２の制御手段は、まず、第１ヒータ７６を第１ヒータ移動用モータによって互いに近接させつつ加熱して梱包素材９０を綴じ合わせる。さらに、梱包装置７２の制御手段は、第２ヒータ７７を第２ヒータ移動用モータによって互いに近接させつつ加熱して梱包素材９０を綴じ合わせる。この梱包素材９０の綴じ合わせにおいて、本実施形態では、出力紙８０と梱包素材９０とが密着した状態となるようにする。そして、梱包装置７２の制御手段は、第２の吸引手段への負圧の供給を停止する。そして、梱包装置７２の制御手段は、第２ヒータ移動用モータにより、第２ヒータ７７を離反させる。
【００９６】
次に、梱包装置７２の制御手段は、梱包素材の切断のための処理を行う（ステップＳ３−６）。具体的には、梱包装置７２の制御手段は、カッタ７８を動作させて、梱包素材９０を第１ヒータ７６によって綴じ合わせた部分の送りローラ７５側で切断する。これにより、出力紙８０が封入された袋９１がロール状の梱包素材９０から切り離される。そして、梱包装置７２の制御手段は、第１の吸引手段への負圧の供給を停止する。そして、梱包装置７２の制御手段は、第１ヒータ移動用モータにより、第１ヒータ７６を離反させる。
【００９７】
次に、梱包装置７２の制御手段は、第１の出力紙の表側の面と第３の出力紙の裏側の面とを、それぞれ梱包素材９０に熱圧着させるための処理を行う（ステップＳ３−７）。具
体的には、梱包装置７２の制御手段は、熱圧着手段を動作させて、袋９１の梱包素材９０により挟まれた出力紙８０を押し付けつつ、所定の温度になるまで加熱する。これにより、第１の出力紙の表側の面と第３の出力紙の裏側の面とが、それぞれ梱包素材９０に接着される。
【００９８】
次に、梱包装置７２の制御手段は、梱包された出力紙８０をストック部７９に格納するための制御を行う（ステップ３−８）。具体的には、梱包装置７２の制御手段は、搬送手段により、用紙積載手段７４からパッケージ８１をストック部７９に搬送させる。これにより、ストック部７９にパッケージ８１が格納される。そして、梱包装置７２の制御手段は、印刷装置７１の制御手段に梱包完了通知を行う。
【００９９】
一方、印刷装置７１は、印刷処理が終了した印刷依頼について、文書出力装置７０の記憶手段に記録した受付番号、ユーザＩＤ及びユーザ名に関するデータと、識別標識データと印刷データとを削除する。
【０１００】
そして、ユーザは、選択した文書出力装置７０が設置された店舗に行き、店員にユーザＩＤ及び受付番号を伝えて、パッケージ８１の取り出しを依頼する。店員は、ストック部７９の開閉手段の専用の鍵を用いて、ストック部７９の開閉手段を開ける。そして、店員は、ユーザから伝えられたユーザＩＤ及び受付番号と、パッケージ８１の外側の面に印刷されたユーザＩＤ及び受付番号とを照合し、一致するパッケージ８１を文書出力装置７０のストック部７９から取り出す（ステップＳ２−１３）。そして、店員は、印刷の代金と引き換えで、取り出したパッケージ８１をユーザに渡す。
【０１０１】
このパッケージ８１の外側からは、前述のように、受付番号、ユーザＩＤ、ユーザ氏名及び識別標識が確認できる。ユーザは、識別標識について、自分が指定した識別子が、自分が指定した位置に表示されていることを確認する。
【０１０２】
以上、第２の実施形態によれば、第１の実施形態の奏する効果に加えて以下に示す効果を得ることができる。
・  上記実施形態では、管理コンピュータ２１は、識別子及び識別子表示位置の指定を行ったユーザのユーザＩＤ等を識別標識データに関連付けて、印刷データとともに文書出力装置７０に送信する。このため、文書出力装置７０は、ユーザＩＤ等と識別標識とを印刷できる。従って、店員がユーザＩＤ等を用いてユーザを特定できる一方、ユーザは、ユーザＩＤ等の他、識別標識に基づいて、自分の印刷依頼により印刷された印刷物であることを確認できる。
【０１０３】
・  上記実施形態では、文書出力装置７０は、表側の面にユーザＩＤ等と識別標識とを印刷した出力紙８０（第１の出力紙）を出力する。そして、その上に、印刷要求による依頼文書を印刷した出力紙８０（第２の出力紙）を重ねて出力し、その上に、裏側の面にユーザＩＤ等と識別標識とを印刷した出力紙８０（第３の出力紙）を重ねて出力する。そして、第１の出力紙及び第３の出力紙をそれぞれ梱包素材９０に熱圧着して、第１の出力紙及び第３の出力紙と梱包素材９０とを一体化させる。そして、第１の出力紙及び第３の出力紙と一体化した梱包素材９０による袋９１で、第１の出力紙と第３の出力紙とに挟まれる第２の出力紙を梱包する。
【０１０４】
このため、印刷された依頼文書のパッケージ８１には、ユーザＩＤ等と識別標識とが印刷された出力紙８０と一体化された、各印刷依頼について特有の袋９１が用いられることとなる。このパッケージ８１は、ビニールの梱包素材９０と出力紙８０とが密着した状態となるようにしているため、同じ袋９１を用いて再度梱包できるようにして開封することは困難である。
【０１０５】
また、識別子の指定及び識別子表示位置の指定を行ったユーザ本人以外は、識別子及び識別子表示位置を把握することが困難であるため、短時間で、別途、同じ表示を印刷するためのデータを他のコンピュータ端末を用いて作成することは困難である。従って、ユーザＩＤ等を印刷するデータは、別途、他のコンピュータ端末を用いて容易に作成できたとしても、識別標識を印刷するためのデータを作成するのは困難であるため、別途、これらを印刷してパッケージを作成するのを防止できる。
【０１０６】
なお、上記実施形態は、以下の態様に変更してもよい。
・  上記第１，第２の実施形態では、指定された識別子を構成する記号が属するカテゴリの記号群データ２２０からランダムに抽出して、識別子表示位置以外の部分に配置した。これに代えて、管理コンピュータ２１は、識別子を構成する記号と同一のカテゴリに属する記号を提示して、ユーザに、識別子表示位置以外の部分に配置する記号の選択を促し、選択された記号を識別子表示位置以外の部分に配置してもよい。このようにすることで、ユーザにより選択された記号のみを、識別子表示位置以外の部分への配置に用いることができる。
【０１０７】
・  上記第１，第２の実施形態では、識別子を構成する記号として、文字コードを用いて特定される文字等を用い、識別子の指定は、キーボード等を用いてユーザが直接入力することにより行った。これに代えて、識別子を構成する記号は、図形等の画像であってもよい。また、ユーザによる識別子の指定は、指定可能な画像を提示してユーザに選択させることにより行ってもよい。この場合、関連性がある画像毎のカテゴリに、各画像を分類してもよい。例えば、物語のキャラクタの絵柄を識別子を構成する記号として使用する場合、同じ物語に登場するキャラクタを同じカテゴリに入れるようにしてもよい。このようにすることで、識別子及び識別子表示位置を指定したユーザ本人にとっては、識別子等を、より覚えやすくすることができる。また、その本人以外には、単に、模様として見えるようにすることができる。
【０１０８】
また、キャラクタの表情を識別子として用いてもよい。例えば、キャラクタの特定の表情を識別子として用い、識別標識の他の部分に、別の表情をした同じキャラクタを配置してもよい。この場合も、識別子及び識別子表示位置を指定したユーザ本人にとっては、識別子等を、より覚えやすくすることができ、その本人以外には、単に、模様として見えるようにすることができる。
【０１０９】
・  上記第１，第２の実施形態では、表示する記号の大きさは、予め定められた一定の大きさとした。これに代えて、識別子を構成する記号の数に基づいて、表示する記号の大きさを決定してもよい。この場合、
管理コンピュータ２１は、識別子を構成する記号の数に基づいて、識別子を構成する記号とそれ以外の記号との比率が所定の比率となるように、識別標識を埋める記号の数を決定する。なお、この識別標識を埋める記号の数は、縦横の比率が一定の記号で所定の大きさの識別標識を埋める場合の記号の数とする。そして、管理コンピュータ２１は、識別子表示位置の指定画面において、その記号の数に対応する升目を提示する。そして、管理コンピュータ２１は、所定の大きさで識別標識を表示できるように、その識別標識を構成する記号の大きさを調整する。
【０１１０】
このようにすることで、識別子を構成する記号の数に応じて、識別子等を指定したユーザ本人は容易に識別でき、その本人以外には容易に識別できない適当な数の記号を識別標識に配置できる。
【０１１１】
・  上記第１，第２の実施形態では、指定可能な識別子は、全角の記号のみ又は半角の
記号のみとした。これに代えて、識別子は、全角の記号と半角の記号とを混合させて指定できるようにしてもよい。この場合、管理コンピュータ２１は、識別子表示位置の指定画面において半角の記号に対応する升目を提示し、識別子の開始位置が指定された場合に、升目が全部埋まるように開始位置を調整する。また、全角の記号と半角の記号とは異なるカテゴリに属するようにし、識別子を構成する記号のカテゴリ毎の比率に応じて、各カテゴリから識別子表示位置以外の部分に配置する記号を抽出する。
【０１１２】
このようにすることで、ユーザは識別標識として、全角の記号と半角の記号とを自由に指定でき、この場合でも、識別標識を全部埋めることができる。また、識別子表示位置以外の部分に配置する記号の全角と半角との比率を、識別子を構成する記号の全角と半角との比率と同一とすることができる。従って、この場合でも、識別子等を指定したユーザ本人以外には、識別標識を認識するのを難しくすることができる。
【０１１３】
・  上記第１，第２の実施形態では、識別標識に使用する記号に関するデータを、予め記号データ記憶部２２に記録した。これに加えて、識別標識に使用する記号に関するデータを新たに記号データ記憶部２２に登録できるようにしてもよい。このようにすることで、識別標識を生成するための記号を増やしていくことができる。
【０１１４】
・  上記第１，第２の実施形態では、識別標識を印刷したが、識別標識は、携帯端末等のディスプレイに表示させてもよい。例えば、同様の物品を複数使用する場合に、それらの物品にディスプレイを備えさせ、そのディスプレイ上に識別標識を表示してもよい。このようにすることで、例えば、多数の者が同様の物品を使用する場合であって、一定期間、同一の者が使用する物品について、同一の者が使用する期間について同じ識別標識を表示させることができる。従って、同じ物品を使い回す場合に、毎回、識別標識を印刷した印刷物を出力する必要がなくなる。
【０１１５】
・  上記第１，第２の実施形態では、ユーザ端末３１からの識別子及び識別子表示位置の指定をインターネット３０を介して受け付けて、管理コンピュータ２１が識別標識を生成した。これに代えて、ユーザが使用するパソコン等のコンピュータ端末や専用機を用いて、独自に識別標識を生成してもよい。この場合、パソコン等のコンピュータ端末や専用機が、本発明の各手段を備え、識別標識を生成する。このようにすることで、独自に識別子及び識別子表示位置の指定を受け付けて、識別標識を生成し、印刷することができる。
【０１１６】
・  上記第２の実施形態では、ビニールの梱包素材９０を用いて出力紙８０を梱包し、第１の出力紙と第３の出力紙とをそれぞれ梱包素材９０に熱圧着させてパッケージ８１を作成した。印刷依頼による印刷物の梱包は、その梱包を開けた場合に、容易に元に戻すことができず、識別標識が印刷された印刷物を再利用できないものであれば、どのようなものであってもよい。例えば、開封後、再度、同様に梱包できない梱包材を用い、ユーザＩＤ等と識別標識とを印刷したシールを、その梱包材に貼ってもよい。また、そのシールが複写されて用いられるのを防止するため、そのシールの識別標識の部分には、複写した場合に印刷文書に埋め込んだ地紋が浮かび上がるようにした地紋印刷を行ってもよい。
【０１１７】
・  上記第２の実施形態では、文書出力装置７０は、コンビニエンスストア等に設置された公共のものとしたが、文書出力装置７０は公共のものでなくてもよい。例えば、文書出力装置としてのプリンタは企業の建物内に設置してもよく、社員等の特定のユーザが使用するものであってもよい。
【０１１８】
・  上記第２の実施形態では、ユーザの依頼文書を印刷する場合に、識別標識とユーザＩＤ等とを印刷したが、これに限られるものではなく、その他の場合に識別標識とユーザ識別情報とを印刷してもよい。このようにすることで、その場合にも、識別子等の指定を
行ったユーザ以外の者が、ユーザＩＤ等に基づいてユーザを特定できるとともに、識別子等の指定を行ったユーザは、それが自分の物であることを識別標識に基づいて確認できる。
【図面の簡単な説明】
【０１１９】
【図１】本発明の一実施形態のシステム概略図。
【図２】記号データ記憶部に記憶されたデータの説明図。
【図３】本発明の一実施形態の処理手順の説明図。
【図４】ユーザ端末に表示された表示画面の説明図。
【図５】ユーザ端末に表示された表示画面の説明図。
【図６】識別標識の作成の説明図。
【図７】識別標識の作成の説明図。
【図８】本発明の一実施形態のシステム概略図。
【図９】ユーザデータ記憶部に記憶されたデータの説明図。
【図１０】出力先データ記憶部に記憶されたデータの説明図。
【図１１】受付データ記憶部に記憶されたデータの説明図。
【図１２】文書出力装置の概略図。
【図１３】本発明の一実施形態の処理手順の説明図。
【図１４】本発明の一実施形態の処理手順の説明図。
【符号の説明】
【０１２０】
２１…コンピュータとしての管理コンピュータ、２２…記号データ記憶手段としての記号データ記憶部、５４，６１…識別子表示位置、６０…記号表示範囲。
【図１】
2005142943.tif 000003
【図２】
2005142943.tif 000004
【図３】
2005142943.tif 000005
【図４】
2005142943.tif 000006
【図５】
2005142943.tif 000007
【図６】
2005142943.tif 000008
【図７】
2005142943.tif 000009
【図８】
2005142943.tif 000010
【図９】
2005142943.tif 000011
【図１０】
2005142943.tif 000012
【図１１】
2005142943.tif 000013
【図１２】
2005142943.tif 000014
【図１３】
2005142943.tif 000015
【図１４】
2005142943.tif 000016